(57)【要約】      （修正有）【課題】エレベータの通常の表示に追加表示を必要に応じて行うことができるとともに、追加表示を行う部分の設置スペースの縮小化を図ることができ、意匠性の向上を図ることができるエレベータの呼び登録装置を得る。【解決手段】釦装置６は、透明の釦操作部９を有している。エレベータの呼び登録は、釦操作部９が操作されることにより行われる。釦操作部９の背面側には、所定の第１表示を行う釦表示板１１が配置されている。釦表示板１１には、釦表示シート１２が重ねられている。釦表示シート１２は、透明電極と、透明電極の所定の部分に設けられ、透明状態と不透明状態との間で変化可能な高分子液晶とを有している。釦表示シート１２は、高分子液晶が不透明状態となることにより、第１表示と異なる第２表示を行う。高分子液晶の状態は、基板に設けられた制御部により制御される。【選択図】図２
2008127124.tif 000002
【特許請求の範囲】
【請求項１】
透明の釦操作部を有し、上記釦操作部が操作されることによりエレベータの呼び登録を行う釦装置、
上記釦操作部の背面側に配置され、所定の第１表示を行う第１表示体、
透明部と、上記透明部の所定の部分に設けられ、透明状態と不透明状態との間で変化可能な状態可変部とを有し、上記第１表示体に重ねられ、上記状態可変部が上記不透明状態となることにより上記第１表示と異なる第２表示を行う第２表示体、及び
上記状態可変部の状態を制御する制御部
を備えていることを特徴とするエレベータの呼び登録装置。
【請求項２】
互いに重ねられた上記第１表示体及び第２表示体の背面側に配置され、互いに異なる色の光を発する第１発光体及び第２発光体をさらに備え、
上記制御部は、上記状態可変部を上記透明状態にしているときに、上記第２発光体の発光を停止させたまま上記第１発光体を制御し、上記状態可変部を上記不透明状態にしているときに、上記第１発光体の発光を停止させたまま上記第２発光体を制御することを特徴とする請求項１に記載のエレベータの呼び登録装置。
【発明の詳細な説明】
【技術分野】
【０００１】
この発明は、かご内や乗場での呼び登録に用いられるエレベータの呼び登録装置に関するものである。
【背景技術】
【０００２】
従来、複数の号機を有するエレベータの故障の表示を号機ごとに行うために、各号機に対応する故障号機表示灯を乗場にそれぞれ設けたエレベータが提案されている。各故障号機表示灯は、各号機のホールランタンに並べて設けられている。各号機のうちのいずれかが故障したときには、故障した号機に対応する故障号機表示灯が点灯する（例えば、特許文献１参照）。
【０００３】
【特許文献１】特開平９−２２７０４３号公報
【発明の開示】
【発明が解決しようとする課題】
【０００４】
しかし、各故障号機表示灯がホールランタンに並べて設けられているので、意匠上好ましくなく、また各故障号機表示灯を設置するために大きなスペースを確保しなければならない。
【０００５】
この発明は、上記のような問題点を解決することを課題としてなされたものであり、エレベータの通常の表示に必要に応じて追加表示（例えばエレベータの故障の表示等）を行うことができるとともに、追加表示を行う部分の設置スペースの縮小化を図ることができ、また意匠性の向上を図ることもできるエレベータの呼び登録装置を得ることを目的とする。
【課題を解決するための手段】
【０００６】
この発明に係るエレベータの呼び登録装置は、透明の釦操作部を有し、釦操作部が操作されることによりエレベータの呼び登録を行う釦装置、釦操作部の背面側に配置され、所定の第１表示を行う第１表示体、透明部と、透明部の所定の部分に設けられ、透明状態と不透明状態との間で変化可能な状態可変部とを有し、第１表示体に重ねられ、状態可変部が不透明状態となることにより第１表示と異なる第２表示を行う第２表示体、及び状態可変部の状態を制御する制御部を備えている。
【発明の効果】
【０００７】
この発明に係るエレベータの呼び登録装置では、第１表示を行う第１表示体に第２表示体が重ねられ、第２表示体は、透明部と、透明部の所定の部分に設けられ、透明状態と不透明状態との間で変化可能な状態可変部とを有し、状態可変部の状態が不透明状態になることにより第１表示と異なる第２表示を行うようになっているので、エレベータの通常の表示（第１表示）に追加する追加表示（第２表示）を必要に応じて行うことができる。また、第１表示に第２表示を重ねて表示することができるので、第１表示をする部分の設置スペースの縮小化を図ることができる。さらに、第２表示が不要なときには第２表示体の全範囲を透明にすることができるので、意匠性の向上を図ることもできる。
【発明を実施するための最良の形態】
【０００８】
実施の形態１．
図１は、この発明の実施の形態１によるエレベータの呼び登録装置が設けられたエレベータの乗場を示す正面図である。乗場１には、複数（この例では、２つ）の乗場出入口２が設けられている。各乗場出入口２には、乗場出入口２を開閉可能な乗場ドア３が設けられている。昇降路内を移動されるかごが乗場１に着床しているときには、乗場出入口２が開くことにより、乗場１とかご内との間で乗客の移動が可能になる。
【０００９】
各乗場出入口２が設けられた壁面には、各乗場出入口２の近傍にそれぞれ配置された複数（この例では、２つ）のホールランタン４と、エレベータの運転を制御する運転制御装置（図示せず）に呼び登録（エレベータの呼び登録）を行う乗場呼び登録装置５とが設けられている。昇降路内のかごは、エレベータの呼び登録が行われると、呼び登録によって指定された乗場１へ移動される。
【００１０】
各ホールランタン４は、一対の方向指示灯を有している。各ホールランタン４は、各方向指示灯のいずれかを選択的に点灯させることにより、かごの移動方向及びかごの到着予報の各表示を行う。
【００１１】
乗場呼び登録装置５には、乗場１で操作可能な一対の釦装置６が設けられている。エレベータの呼び登録は、各釦装置６の少なくともいずれかが操作されることにより行われる。エレベータの呼び登録が行われると、運転制御装置から乗場呼び登録装置５へ登録信号が出力される。
【００１２】
図２は、図１の釦装置６を示す正面図である。また、図３は、図２の釦装置６を示す断面図である。図において、釦装置６は、基板７と、基板７に設けられた取付台８と、取付台８に支持され、取付台８を覆う透明の釦操作部（釦キャップ）９とを有している。エレベータの呼び登録は、釦操作部９が操作される（押される）ことにより行われる。
【００１３】
基板７には、複数の点灯装置（発光体）１０が設けられている。各点灯装置１０は、釦操作部９と基板７との間に配置されている。また、各点灯装置１０は、所定の色（例えば緑色やオレンジ色等）の光を発する。点灯装置１０としては、例えばＬＥＤや電球等が用いられる。
【００１４】
釦操作部９の背面側には、行き先方向の表示（所定の第１表示）を行う釦表示板（第１表示体）１１が配置されている。釦表示板１１は、釦操作部９と取付台８との間に配置されている。釦表示板１１は、行き先方向の表示として矢印が描かれた透明の板である（図３）。矢印の部分は、点灯装置１０からの光を遮蔽するようになっている。
【００１５】
釦表示板１１には、釦表示シート（第２表示体）１２が重ねられている。釦表示シート１２は、釦操作部９と釦表示板１１との間に配置されている。即ち、釦表示シート１２は、釦表示板１１の釦操作部９側に重ねられている。また、釦表示板１１及び釦表示シート１２は、例えば糊等の接着剤を介して互いに貼り合わされている。
【００１６】
釦表示シート１２は、釦表示板１１による行き先方向の表示と異なるエレベータの利用禁止の表示（第２表示）を必要に応じて表示可能になっている。利用禁止の表示は、行き先方向の表示に重ねて表示される。この例では、利用禁止の表示として禁止マーク（１本の傾斜線が円内に付加された印）が用いられている。
【００１７】
ここで、図４は、図３の釦表示シート１２を示す正面図である。また、図５は、図４のV-V線に沿った断面図である。図において、釦表示シート１２は、フィルム状の一対の透明電極（透明部）１３と、各透明電極１３に印刷され（設けられ）、各透明電極１３間に挟まれた高分子液晶（状態可変部）１４とを有している。
【００１８】
各透明電極１３は、円形電極部１３ａと、円形電極部１３ａの径方向外側へ延びる接続電極部１３ｂとを有している。円形電極部１３ａは、釦操作部９と釦表示板１１との間に配置されている（図２）。接続電極部１３ｂは基板７に向けて曲げられ、接続電極部１３ｂの先端部が基板７に電気的に接続されている（図２）。なお、禁止マークは、円形電極部１３ａに表示される。また、円形電極部１３ａの一方の面には、釦表示シート１２を釦表示板１１に貼るための接着剤１５が設けられている。
【００１９】
高分子液晶１４は、円形電極部１３ａにおける禁止マークの部分（所定の部分）にのみ印刷されている。また、高分子液晶１４の状態は、液晶組織が規則正しく並んだ透明状態と、液晶組織が不規則に並んで例えば白く濁った不透明状態との間で変化可能になっている。透明状態と不透明状態との間の切り替えは、各透明電極１３への電圧の印加の有無により行われる。即ち、高分子液晶１４の状態は、各透明電極１３に電圧が印加されることにより透明状態になり、各透明電極１３への電圧の印加が停止されることにより不透明状態になる。高分子液晶１４の状態が不透明状態になることにより禁止マークが現れ、利用禁止の表示が釦表示シート１２に行われることとなる。
【００２０】
各点灯装置１０及び高分子液晶１４のそれぞれの状態は、基板７に設けられた制御部（図示せず）により制御される。制御部は、エレベータの利用が可能であるときに高分子液晶１４の状態を透明状態にし、例えばエレベータが故障してエレベータの利用が不可能になっているときに高分子液晶１４の状態を不透明状態にする。即ち、制御部は、エレベータの利用が不可能になっているときにのみ、禁止マークを表示する制御を釦表示シート１２について行う。
【００２１】
また、制御部は、高分子液晶１４の状態を透明状態にしているときに、エレベータの呼び登録の有無（運転制御装置からの登録信号の受信の有無）に基づいて、各点灯装置１０の状態を制御する。即ち、制御部は、高分子液晶１４の状態を透明状態にしているときで、エレベータの呼び登録が行われているときに各点灯装置１０を発光させ、呼び登録が解除されたときに各点灯装置１０の発光を停止する。また、制御部は、高分子液晶１４の状態を不透明状態にしているときに、各点灯装置１０の発光をすべて停止する。
【００２２】
なお、乗場呼び登録装置５は、釦装置６、各点灯装置１０、釦表示板１１、釦表示シート１２及び制御部を有している。
【００２３】
次に、動作について説明する。図６は図２の釦装置６の状態を示す正面図であり、図６（ａ）はエレベータの呼び登録が解除されているときの状態を示す正面図、図６（ｂ）はエレベータの呼び登録が行われているときの状態を示す正面図、図６（ｃ）はエレベータの利用が不可能であるときの状態を示す正面図である。図に示すように、エレベータの利用が可能なときには、制御部の制御により電圧が各透明電極１３に印加されており、高分子液晶１４の液晶組織が規則正しく並んでいる。従って、釦表示シート１２の全範囲が透明になっている。これにより、釦表示板１１による矢印（行き先方向）の表示のみが行われている（図６（ａ））。
【００２４】
釦装置６の釦操作部９が乗場１で操作されると、エレベータの呼び登録が行われる。これにより、登録信号が運転制御装置から乗場呼び登録装置５へ伝送される。乗場呼び登録装置５が登録信号を受けると、各点灯装置１０が制御部の制御により所定の色（例えば緑色等）で発光し、釦表示板１１が明るく照らされる。釦操作部９及び釦表示シート１２のいずれもが透明であるので、各点灯装置１０からの光が乗場１へ透過され、エレベータの呼び登録が行われたことが表示される（図６（ｂ））。
【００２５】
この後、釦装置６が操作された乗場１にかごが到着することにより、エレベータの呼び登録が解除される。
【００２６】
例えばエレベータの故障等によりエレベータの利用が不可能になったときには、制御部の制御により、各透明電極１３への電圧の印加が停止される。これにより、高分子液晶１４の液晶組織の配列が不規則になり、高分子液晶１４のみが不透明状態になる。これにより、禁止マークが釦表示シート１２に浮き出て、利用禁止の表示が釦表示シート１２に行われる。このとき、各点灯装置１０の発光はすべて停止されている。また、禁止マークは、釦表示板１１による矢印の表示に重ねて表示される（図６（ｃ））。
【００２７】
このようなエレベータの呼び登録装置では、行き先方向の表示を行う釦表示板１１に釦表示シート１２が重ねられ、釦表示シート１２は、透明電極１３と、透明電極１３の所定の部分に設けられ、透明状態と不透明状態との間で変化可能な高分子液晶１４とを有し、高分子液晶１４の状態が不透明状態になることにより行き先方向の表示と異なる利用禁止の表示を行うようになっているので、エレベータの利用が不可能なときに、行き先方向の表示に追加して利用禁止の表示を行うことができる。即ち、エレベータの通常の表示に追加する利用禁止の表示（追加表示）を必要に応じて行うことができる。また、行き先方向の表示に利用禁止の表示を重ねて表示することができるので、利用禁止の表示をする部分の設置スペースの縮小化を図ることができる。さらに、利用禁止の表示が不要なときには釦表示シート１２の全範囲を透明にすることができるので、意匠性の向上を図ることもできる。
【００２８】
なお、上記の例では、釦表示シート１２が釦表示板１１の釦操作部９側に重ねられているが、釦表示板１１の点灯装置１０側（反釦操作部９側）に釦表示シート１２を重ねてもよい。
【００２９】
また、上記の例では、乗場１に設けられた乗場呼び登録装置５にこの発明が適用されているが、かご内に設けられたかご内呼び登録装置にこの発明を適用してもよい。この場合、釦表示板１１及び釦表示シート１２は、かご内呼び登録装置に設けられた複数の行き先階釦装置に組み込まれる。また、各釦表示板１１には、対応する行き先階の番号が表示される。さらに、各釦表示シート１２には、対応する行き先階へのかごの移動が禁止されているときにのみ、禁止マークが表示される。
【００３０】
実施の形態２．
図７は、この発明の実施の形態２によるエレベータの呼び登録装置を示す要部断面図である。図において、釦表示板１１の釦操作部９側には、釦表示シート２１が重ねられている。また、基板７には、第１点灯装置（第１発光体）２２及び第２点灯装置（第２発光体）２３が設けられている。第１点灯装置２２及び第２点灯装置２３は、互いに重ねられた釦表示板１１及び釦表示シート２１の背面側に配置されている。また、第１点灯装置２２及び第２点灯装置２３は、互いに異なる色の光を発する。第１点灯装置２２が発する光の色は、人に対して安全を示す色（例えば緑色等）とされ、第２点灯装置２３が発する光の色は、人に対して注意喚起を示す色（例えば黄色や赤色等）とされている。
【００３１】
図８は、図７の釦表示シート２１を示す正面図である。図において、釦表示シート２１は、フィルム状の一対の透明電極（透明部）２４と、各透明電極２４に印刷され（設けられ）、各透明電極２４間に挟まれた高分子液晶（状態可変部）２５とを有している。
【００３２】
各透明電極２４は、方形電極部２４ａと、方形電極部２４ａの一辺から外側へ延びる接続電極部２４ｂとを有している。方形電極部２４ａは、釦操作部９と釦表示板１１との間に配置されている。接続電極部２４ｂは基板７に向けて曲げられ、接続電極部２４ｂの先端部が基板７に電気的に接続されている（図７）。禁止マークは、方形電極部２４ａに表示される。
【００３３】
高分子液晶２５は、方形電極部２４ａに印刷されている。また、高分子液晶２５が方形電極部２４ａに印刷される部分は、釦表示板１１の矢印の部分と禁止マークの部分とを除いた所定の部分とされている。即ち、高分子液晶２５は、方形電極部２４ａにおける矢印及び禁止マークのそれぞれの部分を避けて印刷されている。
【００３４】
高分子液晶２５の状態は、液晶組織が規則正しく並んだ透明状態と、液晶組織が不規則に並んで例えば白く濁った不透明状態との間で変化可能になっている。透明状態と不透明状態との間の切り替えは、各透明電極２４への電圧の印加の有無により行われる。即ち、高分子液晶２５の状態は、各透明電極２４に電圧が印加されることにより透明状態になり、各透明電極２４への電圧の印加が停止されることにより不透明状態になる。高分子液晶２５の状態が不透明状態になることにより禁止マークが現れ、利用禁止の表示が釦表示シート１２に行われることとなる。
【００３５】
第１点灯装置２２、第２点灯装置２３及び高分子液晶２５のそれぞれの状態は、基板７に設けられた制御部により制御される。制御部による高分子液晶２５の制御は、実施の形態１の高分子液晶１４の制御と同様である。
【００３６】
制御部は、高分子液晶２５を透明状態にしているときに、第２点灯装置２３の発光を停止させたまま第１点灯装置２２を制御する。高分子液晶２５が制御部の制御により透明状態にされているときには、エレベータの呼び登録が行われることにより第１点灯装置２２が発光し、呼び登録が解除されることにより第１点灯装置２２の発光が停止される。
【００３７】
また、制御部は、高分子液晶２５を不透明状態にしているときに、第１点灯装置２２の発光を停止させたまま第２点灯装置２３を制御する。高分子液晶２５が制御部の制御により不透明状態にされているときには、第２点灯装置２３が発光する。他の構成は実施の形態１と同様である。
【００３８】
次に、動作について説明する。図９は図７の釦装置６の状態を示す正面図であり、図９（ａ）はエレベータの呼び登録が解除されているときの状態を示す正面図、図９（ｂ）はエレベータの呼び登録が行われているときの状態を示す正面図、図９（ｃ）はエレベータの利用が不可能であるときの状態を示す正面図である。図に示すように、エレベータの利用が可能なときには、制御部の制御により電圧が各透明電極２４に印加されており、高分子液晶２５の液晶組織が規則正しく並んでいる。従って、釦表示シート２１の全範囲が透明になっている。これにより、釦表示板１１による矢印（行き先方向）の表示のみが行われている（図９（ａ））。
【００３９】
釦装置６の釦操作部９が乗場１で操作されると、エレベータの呼び登録が行われる。これにより、登録信号が運転制御装置から乗場呼び登録装置へ伝送される。乗場呼び登録装置が登録信号を受けると、第１点灯装置２２が制御部の制御により安全を示す所定の色（例えば緑色等）で発光し、釦表示板１１が明るく照らされる。釦操作部９及び釦表示シート２１のいずれもが透明であるので、第１点灯装置２２からの光が乗場１へ透過され、エレベータの呼び登録が行われたことが表示される（図９（ｂ））。
【００４０】
この後、釦装置６が操作された乗場１にかごが到着することにより、エレベータの呼び登録が解除される。
【００４１】
例えばエレベータの故障等によりエレベータの利用が不可能になったときには、制御部の制御により、各透明電極２４への電圧の印加が停止される。これにより、高分子液晶２５の液晶組織の配列が不規則になり、高分子液晶２５のみが不透明状態になる。これにより、矢印及び禁止マークのそれぞれの部分の周囲が不透明になり、釦表示板１１による矢印の表示が残されたまま、禁止マークが釦表示シート２１に浮き出てくる。
【００４２】
このとき、第２点灯装置２３が注意喚起を示す所定の色（例えば赤色等）で発光される。これにより、透明のまま残された禁止マークの部分が明るく照らされ、禁止マークの表示がさらに明確に現れることとなる。なお、禁止マークは、釦表示板１１による矢印の表示に重ねて表示される（図９（ｃ））。
【００４３】
このようなエレベータの呼び登録装置では、互いに異なる色の光を発する第１点灯装置２２及び第２点灯装置２３が釦表示板１１及び釦表示シート２１の背面側に配置されているので、高分子液晶２５を透明状態にしているときの発光色と、高分子液晶２５を不透明状態にしているときの発光色とが互いに異なるようにすることができる。従って、利用禁止の表示（追加表示）を行っているか否かを発光色の違いにより容易に識別することができる。これにより、エレベータの利用の可否の区別をさらに容易にすることができる。
【００４４】
なお、上記の例では、釦表示板１１に重ねられる釦表示シートとして、釦表示板１１の矢印及び禁止マークのそれぞれの部分を避けて高分子液晶２５を印刷した釦表示シート２１が用いられているが、禁止マークの部分にのみ高分子液晶１４を印刷した実施の形態１と同様の釦表示シート１２を用いてもよい。この場合、第１点灯装置２２が発光しているときには矢印の周囲が例えば緑色等に明るく照らされ、第２点灯装置２３が発光しているときには、図１０に示すように、禁止マークが追加された矢印の周囲が例えば赤色等に明るく照らされる。このようにしても、利用禁止の表示（追加表示）を行っているか否かを発光色の違いにより容易に識別することができる。
【００４５】
また、上記の例では、矢印及び禁止マークのそれぞれの部分を避けて高分子液晶２５を印刷した釦表示シート２１が、第１及び第２点灯装置２２，２３を有する呼び登録装置に適用されているが、単独の点灯装置１０を有する実施の形態１と同様の呼び登録装置にこの釦表示シート２１を適用してもよい。この場合、エレベータの利用が不可能であるときには、図１１に示すように、点灯装置１０の発光が停止されたまま、矢印及び禁止マークのそれぞれの周囲の部分が不透明状態になる。このようにしても、利用禁止の表示（追加表示）を必要に応じて行うことができる。
【図面の簡単な説明】
【００４６】
【図１】この発明の実施の形態１によるエレベータの呼び登録装置が設けられたエレベータの乗場を示す正面図である。
【図２】図１の釦装置を示す正面図である。
【図３】図２の釦装置を示す断面図である。
【図４】図３の釦表示シートを示す正面図である。
【図５】図４のV-V線に沿った断面図である。
【図６】図３の釦装置の状態を示す正面図であり、図６（ａ）はエレベータの呼び登録が解除されているときの状態を示す正面図、図６（ｂ）はエレベータの呼び登録が行われているときの状態を示す正面図、図６（ｃ）はエレベータの利用が不可能であるときの状態を示す正面図である。
【図７】この発明の実施の形態２によるエレベータの呼び登録装置を示す要部断面図である。
【図８】図７の釦表示シートを示す正面図である。
【図９】図７の釦装置の状態を示す正面図であり、図９（ａ）はエレベータの呼び登録が解除されているときの状態を示す正面図、図９（ｂ）はエレベータの呼び登録が行われているときの状態を示す正面図、図９（ｃ）はエレベータの利用が不可能であるときの状態を示す正面図である。
【図１０】この発明の実施の形態２によるエレベータの呼び登録装置の他の例を示す要部正面図である。
【図１１】この発明の実施の形態２によるエレベータの呼び登録装置の他の例を示す要部正面図である。
【符号の説明】
【００４７】
６  釦装置、９  釦操作部、１１  釦表示板（第１表示体）、１２，２１  釦表示シート（第２表示体）、１３，２４  透明電極（透明部）、１４，２５  高分子液晶（状態可変部）、２２  第１点灯装置（第１発光体）、２３  第２点灯装置（第２発光体）。
【図１】
2008127124.tif 000003
【図２】
2008127124.tif 000004
【図３】
2008127124.tif 000005
【図４】
2008127124.tif 000006
【図５】
2008127124.tif 000007
【図６】
2008127124.tif 000008
【図７】
2008127124.tif 000009
【図８】
2008127124.tif 000010
【図９】
2008127124.tif 000011
【図１０】
2008127124.tif 000012
【図１１】
2008127124.tif 000013